(57)【要約】【課題】眼底の診断において有用な眼底画像を、簡単な構成で得ること。【解決手段】撮影装置１は、第１撮影光学系１００ｂの眼底共役面において、第１方向（Ｘ方向）に関して互いに間隔を空けて設けられた複数の散乱光用アパーチャＡｓと、複数の散乱光用アパーチャＡｓの位置を一体的に制御する制御部８００と、を備える。散乱光用アパーチャＡｓは、第１方向と直交する方向（Ｙ方向）に関して互いに異なる位置に配置される２つのアパーチャを少なくとも含む。撮影装置１では、散乱光の光路上（Ｋ１+Ｋ２）に配置するアパーチャが、上記２つのアパーチャの間で切換えられ、更に、散乱光の光路上におけるそれら２つのアパーチャの配置が、第１方向に関して異なる２つの位置にそれぞれ切換えることで、受光素子５６へ導かれる散乱光の向きが、互いに異なる４方向に切り替えられる。【選択図】図３
2017012580.tif 000002
【特許請求の範囲】
【請求項１】
レーザ光を眼底の観察面に集光させるための光学部材，及び，前記眼底に対してレーザ光を２次元的に走査する走査手段，を有する照射光学系と、前記眼底にて反射した前記レーザ光の反射光を受光素子で受光することにより撮影画像を得る撮影光学系と、
前記撮影光学系の眼底共役面において、前記撮影光軸と直交する第１方向に関して互いに間隔を空けて設けられた複数のアパーチャと、
前記複数のアパーチャの位置を一体的に制御する制御手段と、を備え、
前記複数のアパーチャは、第１アパーチャと、前記第１方向と直交する方向に関して前記第１アパーチャとは異なる位置に配置される第２アパーチャとを少なくとも含み、
前記制御手段は、前記複数のアパーチャを前記第１方向に移動させて、前記観察面の集光点の前後にて散乱された散乱光の光路上に配置するアパーチャを前記第１アパーチャおよび前記第２アパーチャの間で切換え、更に、前記散乱光の光路上における前記第１アパーチャおよび前記第２アパーチャの配置を前記第１方向に関して異なる２つの位置にそれぞれ切換えることで、前記受光素子へ導かれる前記散乱光の向きを、互いに異なる４方向に切り替える眼底撮影装置。
【請求項２】
前記第１アパーチャと、前記第２アパーチャとは、前記第２方向に関して前記撮影光軸を挟む位置関係に形成されており、
前記制御手段は、前記散乱光の光路上に配置されるアパーチャを前記第１アパーチャと前記第２アパーチャとの間で切換えることで、前記受光素子へ導かれる前記散乱光の向きを前記第２方向に関して反対向きに切り替え、
更に、前記散乱光の光路上における前記第１アパーチャまたは前記第２アパーチャの配置を、前記第１方向に関して前記撮影光軸を挟む２つの位置に切換えることで、前記受光素子へ導かれる前記散乱光の向きを、前記第１方向に関して反対向きに切り替える請求項１記載の眼底撮影装置。
【請求項３】
前記複数のアパーチャは、前記第２方向に関して前記撮影光軸と同じ位置に形成された第３アパーチャを、更に含み、
前記制御手段は、前記第３アパーチャを、前記散乱光の光路上において互いに異なる２つの位置であって，前記第１方向に関して前記撮影光軸を挟む２つの位置に切換えることで、前記受光素子へ導かれる前記散乱光の向きを、前記４方向とは更に異なる２方向に切換える請求項２記載の眼底撮影装置。
【請求項４】
前記複数のアパーチャは、前記第２方向に関して前記撮影光軸から離れて形成される第４アパーチャと、前記第２方向に関して前記第４アパーチャと前記撮影光軸を挟んで配置される第５アパーチャと、を更に含み、
前記制御手段は、前記第４アパーチャおよび前記第５アパーチャを、前記散乱光の光路上において前記第１方向に関して前記撮影光軸と同じ位置へ配置することで、前記受光素子へ導かれる前記散乱光の向きを前記４方向とは更に異なる２方向に切換える請求項２又は３記載の眼底撮影装置。
【請求項５】
前記複数のアパーチャは、前記光路の半径に対して小さな直径の円形開口としてそれぞれ形成されている請求項１から４のいずれかに記載の眼底撮影装置。
【請求項６】
前記制御手段は、前記複数のアパーチャのうち前記光路上に配置するアパーチャを、前記撮影光軸を中心とする円周上に配置させる請求項１から５のいずれかに記載の眼底撮影装置。
【請求項７】
前記制御手段は、
前記撮影画像に含まれる血管の走行方向に関する情報を前記撮影画像に基づいて取得し、
取得された前記走行方向と交差する方向への前記散乱光が前記受光素子に導かれるように、前記複数のアパーチャの位置決め制御を行い、前記位置決め制御後の前記受光素子からの受光信号による第２の前記撮影画像をキャプチャーする請求項１記載の眼底撮影装置。
【請求項８】
前記第１アパーチャと、前記第２アパーチャとは、前記第２方向に関して前記撮影光軸を挟む位置関係に形成されており、
前記制御手段は、前記位置決め制御において前記第１アパーチャおよび前記第２アパーチャのうち一方が前記散乱光の光路上に配置される場合には、前記撮影画像のキャプチャー後に、他方のアパーチャを前記散乱光の光路上に配置するように第２の位置決め制御を行い、第２の位置決め制御後の前記受光素子からの受光信号による第３の撮影画像を更にキャプチャーする請求項７記載の眼底撮影装置。
【請求項９】
前記制御手段は、前記第２の撮影画像と前記第３の撮影画像とを合成することによって、血管壁が強調された強調画像を得る請求項８記載の眼底撮影装置。
【請求項１０】
前記撮影光学系の光路中に配置され、入射光の波面を制御して前記被検眼の波面収差を補償する波面補償デバイスと、
前記被検眼の波面収差を、前記眼底からの反射光に基づいて測定する波面収差測定手段と、
前記波面収差に基づいて前記波面補償デバイスを駆動させる波面補償デバイス制御手段と、を備え、
前記複数のアパーチャのうち前記光路上に配置されるアパーチャによって方向が制限された散乱光による細胞レベルの眼底画像を、前記撮影画像として得る請求項１から９の何れかに記載の眼底撮影装置。
【発明の詳細な説明】
【技術分野】
【０００１】
本開示は、被検眼の眼底を撮影して眼底観察を行うための眼底撮影装置に関する。
【背景技術】
【０００２】
従来、眼底に対して２次元的にレーザ光を走査し、その反射光を受光することにより眼底像を得る眼底撮影装置が知られている。このような眼底撮影装置において、例えば、リング状開口と黒点板からなるリングアパーチャーが被検眼眼底と共役な位置に配置されることにより、観察部位における集光位置（焦点位置）からの反射光を制限し、その前後からくる散乱光を受光して画像化する手法（散乱光撮影）が知られている（特許文献１参照）。
【０００３】
特許文献１では、散乱光の通過領域を変更することによって、受光素子に導かれる散乱光の方向を切換える手法が記載されている。
【先行技術文献】
【特許文献】
【０００４】
【特許文献１】特開２００９−９５６３２号公報
【発明の概要】
【発明が解決しようとする課題】
【０００５】
しかしながら、受光素子に導かれる散乱光の方向を、より多様化しようとすると、例えば、装置構成が複雑化しやすくなってしまう。
【０００６】
本開示は、従来技術の問題点に鑑みてなされたものであり、眼底の診断において有用な眼底画像を、簡単な構成で得ることができる眼底撮影装置を提供することを技術課題とする。
【課題を解決するための手段】
【０００７】
本開示の第1態様に係る眼底撮影装置は、レーザ光を眼底の観察面に集光させるための光学部材，及び，前記眼底に対してレーザ光を２次元的に走査する走査手段，を有する照射光学系と、前記眼底にて反射した前記レーザ光の反射光を受光素子で受光することにより撮影画像を得る撮影光学系と、前記撮影光学系の眼底共役面において、前記撮影光軸と直交する第１方向に関して互いに間隔を空けて設けられた複数のアパーチャと、前記複数のアパーチャの位置を一体的に制御する制御手段と、を備え、前記複数のアパーチャは、第１アパーチャと、前記第１方向と直交する方向に関して前記第１アパーチャとは異なる位置に配置される第２アパーチャとを少なくとも含み、前記制御手段は、前記複数のアパーチャを前記第１方向に移動させて、前記観察面の集光点の前後にて散乱された散乱光の光路上に配置するアパーチャを前記第１アパーチャおよび前記第２アパーチャの間で切換え、更に、前記散乱光の光路上における前記第１アパーチャおよび前記第２アパーチャの配置を前記第１方向に関して異なる２つの位置にそれぞれ切換えることで、前記受光素子へ導かれる前記散乱光の向きを、互いに異なる４方向に切り替える。
【発明の効果】
【０００８】
本開示の眼底撮影装置によれば、眼底の診断において有用な眼底画像を、簡単な構成で得ることができる。
【図面の簡単な説明】
【０００９】
【図１】本実施形態の撮影装置の光学系を示した模式図である。
【図２】複数のアパーチャが設けられる眼底共役面を、それよりも被検眼側（図１のレンズ５３側）から見た場合の図である。
【図３】遮光ユニットを、それよりも被検眼側（図１のレンズ５３側）から見た場合の図である。
【図４】図２に示した眼底共役面に対し、本実施形態において各アパーチャが置かれる位置を点線で示した図である。
【図５】散乱光用アパーチャが、光軸Ｌ２と交差する各方向にシフトした場合において、光路上のアパーチャを通過する散乱光の成分（眼底の集光点に対する散乱方向）を、シフト方向毎に示した図であり、それぞれの図は、光軸方向から見た図である。
【図６】本実施形態の撮影装置の制御系を示したブロック図である。
【図７】絞り設定コントローラの一例を示した図である。
【図８】（ａ）は、０°の位置に乱光用アパーチャが配置されて得られた第１眼底画像、（ｂ）は、１８０°の位置に乱光用アパーチャが配置されて得られた第１眼底画像、（ｃ）は、（ａ）の画像と（ｂ）の画像との合成画像、を、それぞれ模式的に示した図である。
【発明を実施するための形態】
【００１０】
以下、図面を参照して、本開示の典型的な実施形態を説明する。本実施形態に係る撮影装置１は、眼底に対して２次元的にレーザ光を走査し、その反射光を受光することにより眼底像を得る眼底撮影装置（より詳細には、走査型レーザー検眼鏡）である。特に、本実施形態では、被検眼Ｅの波面収差を補正した状態で被検眼Ｅの眼底像を撮影する波面収差補償付の装置（ＡＯ−ＳＬＯ）を、撮影装置１として例示し、その説明を行う。
【００１１】
＜光学系の概略説明＞
初めに、図１を参照して、撮影装置１の光学系について説明する。本実施形態の撮影装置１は、眼底撮像光学系１００と、波面収差検出光学系（以下、収差検出光学系と記載する。）１１０と、収差補償ユニット２０，３０，７２と、第２撮影ユニット２００と、前眼部観察ユニット７００と、を備える。
【００１２】
＜眼底撮像光学系＞
眼底撮像光学系１００は、被検眼Ｅにレーザー光（照明光）を投光すると共に、レーザー光の眼底による反射光を受光して被検眼Ｅの眼底像を撮影する。被検眼Ｅの眼底は、眼底撮像光学系１００によって、高解像度（高分解能）・高倍率で撮影される。以下のように、眼底撮像光学系１００は、例えば、共焦点光学系を用いた走査型レーザー検眼鏡の構成を有してもよい。眼底撮像光学系１００は、第１照明光学系１００ａ（照射光学系）と、第１撮影光学系１００ｂと、を備える。また、本実施形態において、収差補償ユニット２０，３０，７２は、被検眼Ｅの収差を補正するために眼底撮像光学系１００に配置される。
【００１３】
第１照明光学系１００ａは、レーザ光を眼底の観察面に集光させるための光学部材を有する。このような光学部材は、例えば、レンズ系であってもよいし、ミラー系であってもよいし、両者の組合せであってもよい。また、眼底に対してレーザ光を２次元的に走査する走査手段（光スキャナー）を有している。第１照明光学系１００ａは、被検眼Ｅにレーザー光を照射すると共にレーザー光を眼底上で走査することによって、眼底を２次元的に照明する。
【００１４】
第１照明光学系１００ａは、光源１１（第１光源）から眼底に到るまでの光路において、光源１１、レンズ１２、偏光ビームスプリッタ（ＰＢＳ）１４、ビームスプリッタ（ＢＳ）７１、凹面ミラー１６、凹面ミラー１７、平面ミラー１８、収差補償ユニット７２（波面補償デバイス７２）、ビームスプリッタ（ＢＳ）７５、凹面ミラー２１、凹面ミラー２２、走査部２５、凹面ミラー２６、凹面ミラー２７、平面ミラー２８、収差補償ユニット３０（乱視補正部３０）、レンズ３２、平面ミラー３３、収差補償ユニット２０（視度補正部２０）、平面ミラー３５、凹面ミラー３６、偏向部４００、ダイクロイックミラー９０、凹面ミラー４１、平面ミラー４２、平面ミラー４３、および、凹面ミラー４５、を有する。
【００１５】
光源１１は、レーザー光を出射する。本実施形態において、レーザー光は、被検眼Ｅに視認されにくい近赤外域の波長を出射してもよい。光源１１は、収束性の高い特性を持つスポット光を出射するものであればよく、例えば、ＳＬＤであってもよいし、半導体レーザー等であってもよい。
【００１６】
光源１１から出射されたレーザー光は、レンズ１２により平行光とされた後、ＰＢＳ１４、ＢＳ７１、凹面ミラー１６，１７、平面ミラー１８を介して、波面補償デバイス７２に入射する。本実施形態において、レーザー光は、ＰＢＳ１４を通過することによって、Ｓ偏光成分のみの光束とされる。波面補償デバイス７２は、入射光の波面を制御することによって、被検眼Ｅの高次収差を補正する。波面補償デバイス７２の詳細構成については後述する。本実施形態において、レーザー光は、波面補償デバイス７２からＢＳ７５に導かれた後、凹面ミラー２１、凹面ミラー２２にて反射され、走査部２５に向かう。
【００１７】
本実施形態において、走査部２５は、レーザー光を眼底上で２次元的に走査するために偏向部４００と共に使用される。走査部２５は、レーザー光の主走査に使用されるレゾナントミラーである。レーザー光は、走査部２５によって、眼底上でＸ方向に走査される。
【００１８】
走査部２５を経た光は、凹面ミラー２６，２７、平面ミラー２８を介して、乱視補正部３０へ入射される。
【００１９】
乱視補正部３０は、被検眼Ｅの収差における乱視成分（２次）を補正するためのユニットである。乱視補正部３０としては、クロスシリンダレンズを備える構成など、様々な構成が考えられる。乱視補正部３０は、被検眼Ｅについて測定された乱視成分を示す値に応じて、被検眼Ｅにおける乱視成分を補正してもよい。
【００２０】
乱視補正部３０を経たレーザー光は、その後、レンズ３２、平面ミラー３３を介して、視度補正部２０へ入射される。
【００２１】
視度補正部２０は、視度補正を行うためのユニットである。視度補正部２０は、例えば、光学系の光路長を調節することによって、視度（つまり、被検眼Ｅの収差のデフォーカス成分）を補正する構成であってもよい。
【００２２】
視度補正部２０から平面ミラー３５へ導かれた照明光は、凹面ミラー３６に反射され、偏向部４００に向かう。
【００２３】
偏向部４００は、光源１１から出射されたレーザー光を眼底上で上下方向（Ｙ方向）に走査する。さらに、偏向部４００は、眼底におけるレーザー光の走査範囲を移動させるためにも使用される。例えば、本実施形態において、偏向部４００は、レーザー光を偏向する方向が異なる２つの光スキャナ（具体例としては、ＸガルバノミラーおよびＹガルバノミラー）を有していてもよい。
【００２４】
偏向部４００を経た光は、ダイクロイックミラー９０、凹面ミラー４１、平面ミラー４２，４３、および凹面ミラー４５を経て、被検眼Ｅの瞳孔内に導かれる。このとき、レーザー光は、眼底の観察面上で集光する。眼底上では、前述したように、走査部２５および偏向部４００の動作によって、レーザー光が２次元的に走査される。
【００２５】
また、ダイクロイックミラー９０は、後述する第２撮影ユニット２００からの光束を透過させ、光源１１および後述する光源７６からの光束を反射させる特性を持つ。なお、光源１１および光源７６の出射端と被検眼Ｅの眼底とは共役とされている。このようにして、第１照明光学系１００ａが形成される。
【００２６】
次に、第１撮影光学系１００ｂを説明する。第１撮影光学系１００ｂは、眼底に照射されたレーザー光の反射光を受光素子５６によって受光する。撮影装置１は、第１眼底画像（細胞画像、ＡＯ−ＳＬＯ画像）を、受光素子５６からの信号に基づいて取得する。第１撮影光学系１００ｂは、被検眼ＥからＢＳ７１までの光路を、第１照明光学系１００ａと共用する。また、第１撮影光学系１００は、ＢＳ７１の反射側光路に配置された要素、即ち、平面ミラー５１、ＰＢＳ５２、レンズ５３、遮光ユニット５４、レンズ５５、および、受光素子５６を有している。なお、本実施形態では、受光素子５６はＡＰＤ（アバランシェフォトダイオード）が用いられている。
【００２７】
＜遮光ユニットの詳細構成＞
本実施形態において、遮光ユニット５４は、アパーチャの位置を、眼底共役面Ｋ上において２次元的にシフトさせる。このアパーチャは、観察面の集光点からの反射光、およびその集光点の前後で散乱された散乱光の少なくともいずれかを受光素子５６へ導くために利用される。
【００２８】
本実施形態における遮光ユニット５４は、遮光部材５００と、移動機構５１０と、を有する。遮光部材５００は、第１撮影光学系１００ｂの光路において、撮影光軸Ｌ２と直交し、且つ、眼底における観察面の集光点との共役点を含む面（つまり、眼底共役面Ｋ）に置かれる。特に、本実施形態では、第１撮影光学系１００ｂの光路のなかでも、第１照明光学系１００ａとの共通光路から外れた位置に、遮光ユニット５４は配置される。
【００２９】
移動機構５１０は、遮光部材５００を、撮影光軸Ｌ２と直交する一方向（図１の例では、Ｘ方向）に変位させる。本実施形態において、遮光部材５００は、Ｘ方向（本実施形態における撮影光軸と直交する第１方向）に関して互いに間隔を空けて設けられた複数のアパーチを有している。複数のアパーチャには、少なくとも、散乱光撮影用の散乱光用アパーチャＡｓと、反射光撮影用の共焦点用アパーチャＡｃと、が含まれる。本実施形態の遮光部材５００は、散乱光用アパーチャＡｓを複数有しており、共焦点用アパーチャＡｃを、１つ有している（図３参照）。
【００３０】
ここで、図２を参照して、眼底共役面Ｋを通過する光の光路について説明する。図２は、眼底共役面Ｋをレンズ５３側から見た場合の図である。図２において、眼底共役面Ｋを通過する光の光路は、共焦点光路Ｋ１と、散乱光光路Ｋ２とに分けられる。共焦点光路Ｋ１は、観察面の集光点（集光位置）からの反射光が主に通過する光路であって、第１撮影光学系１００ｂの光軸Ｌ２近傍に円状に形成される。散乱光光路Ｋ２は、集光点の前後から散乱された散乱光が主に通過する光路であって、第１撮影光学系の光軸Ｌ２を中心にリング状に形成される。眼底共役面Ｋを通過する光の光路（つまり、Ｋ１+Ｋ２）に対して、散乱光用アパーチャＡｓおよび共焦点用アパーチャＡｃのいずれか１つが、所期する位置に置かれる場合、他のアパーチャが光路外に配置されるように、遮光部材５００における各アパーチャの設置間隔は設定されている。つまり、本実施形態では、眼底共役面Ｋに配置される１つのアパーチャを通過する光だけが受光素子５６へと導かれ、それ以外の光は遮光部材５００によって遮光される。
【００３１】
詳細は後述するが、移動機構５１０によって遮光部材５００の位置が適宜調整されることによって、共焦点用アパーチャＡｃは、共焦点光路Ｋ１上に配置される。この場合において、レーザー光の眼底反射光は、前述した第１照明光学系１００ａを逆に辿ると、ＢＳ７１、平面ミラー５１のそれぞれで反射され、ＰＢＳ５２にてＳ偏光の光だけ透過される。この透過光は、レンズ５３を介して共焦点用アパーチャＡｃの開口（ピンホール）に焦点を結ぶ。開口で焦点を結んだ反射光は、レンズ５５を経て受光素子５６に受光される。なお、照明光の一部は角膜上で反射されるが、共焦点用アパーチャＡｃによって大部分が除去される。結果、受光素子５６は、角膜反射の影響を抑えて、眼底からの反射光を受光できる。受光素子５６の受光信号が画像処理部（例えば、制御部８００）によって処理され、その結果として、第１眼底画像（ＡＯ−ＳＬＯ画像ともいう）が生成される。ここでは、共焦点光路Ｋ１上に配置された共焦点用アパーチャＡｃによって、明視野像が得られる。第１眼底画像は、例えば、１°〜５°程度の画角で形成されてもよい。また、フォーカスが調整されることによって、血管を含む層、micro capillalyを含む層、視細胞層等の眼底の様々な層のいずれかに対して、眼底における集光点の共焦点領域が設定される。そして、共焦点領域が設定された層の画像が第１眼底画像として得られる。
【００３２】
ここで、図３を参照して、遮光ユニット５４の構成を詳細に説明する。図３は、レンズ５３側から見たときの遮光ユニット５４を示す。移動機構５１０は、遮光部材５００を一方向に移動させる機構であればよく、種々の構成が考えられる。図３では、一例として、すべりねじ機構を利用する場合を示す。この場合、移動機構５１０は、例えば、モータ５１１（本実施形態の駆動部）と、ネジ軸５１２と、連結部５１３と、を含む。ネジ軸５１２は、モータ５１１の回転軸に連結されている。連結部５１３は、遮光部材５００に固定されている。また、連結部５１３には、ネジ軸５１２に形成された雄ネジと螺合する雌ネジが形成されている。このような移動機構５１０では、ネジ軸５１２が回転することによって、遮光部材５００は、連結部５１３と共にＸ方向に移動される。
【００３３】
前述の通り、遮光部材５００には、散乱光用アパーチャＡｓと、共焦点用アパーチャＡｃとが設けられている。共焦点用アパーチャＡｃは、Ｙ方向（つまり、遮光部材５００の移動方向であるＸ方向と、光軸Ｌ２との両方に直交する方向）に関して、光軸Ｌ２と同じ位置に形成される。本実施形態において、共焦点用アパーチャＡｃは、例えば、直径１００μｍ程度の円形開口として、遮光部材５００に形成されている。
【００３４】
また、複数の散乱光用アパーチャＡｓは、集光点の前後から散乱される散乱光のうち、受光素子５６によって受光される散乱光の散乱方向を、様々な方向に変更するために利用される。本実施形態において、遮光部材５００には、５つの散乱光用アパーチャＡｓが形成されている。
【００３５】
それぞれの散乱光用アパーチャＡｓは、例えば、直径５００μｍ程度の円形開口として、それぞれ遮光部材５００に形成されている。この円形開口の直径は、本実施形態における光路Ｋの半径と比べて小さい値となっている。散乱光用アパーチャＡｓを、このような直径の円形開口とすることで、受光素子５６に導かれる散乱光に含まれる各光線の散乱方向のバラツキを抑制しつつ、まとまった光量の散乱光を受光素子５６に受光させ易くなる。結果、良好な散乱光画像が得られやすくなる。但し、散乱光用アパーチャＡｓの形状は、円形以外の幾何学形状（例えば、半円形状（ナイフエッジ形状ともいう）、楕円、多角形等）であってもよい。
【００３６】
また、各散乱光用アパーチャＡｓは、他のアパーチャとＸ方向に間隔を空けて配置されている。また、各散乱光用アパーチャＡｓは、Ｙ方向に関して互いに異なる位置に形成されている。よって、本実施形態において、複数の散乱光用アパーチャＡｓの中には、Ｙ方向に関して、集光点の共役点から離れた位置に形成されるアパーチャが、１つ以上含まれている。
【００３７】
駆動部５１１の駆動により遮光部材５００がＸ方向に移動されることによって、散乱光用アパーチャＡｓおよび共焦点用アパーチャＡｃの中から１つを、眼底共役面Ｋを通過する光の光路（つまり、Ｋ１+Ｋ２）に対して切換えて配置できる。ここで、移動機構５１０には、センサ５２０（例えば、フォトセンサ、磁気センサ等）が設けられてる。センサ５２０は、遮光部材５００の位置を検出する。例えば、センサ５２０は、所定の原点位置からの遮光部材５００の変位を示す出力信号を出力するものであってもよい。第１撮影光学系１００ｂの光路に対するアパーチャの配置を切換える場合、例えば、制御部８００は、原点位置から目標位置までの変位と、センサ５２０からの信号が示す現在の変位と、の差分に応じた駆動量で、駆動部５１１を駆動させてもよい。
【００３８】
本実施形態では、制御部８００が駆動部５１１を制御することで、遮光部材５００のポジションが、９つのポジションに切換えられる。例えば、それぞれのポジションに関する情報（例えば、それぞれのポジションと原点位置との変位を示す情報）は、予め記憶部８０１に記憶されていてもよい。このとき、前述したように、このポジションに関する情報と、センサ５２０からの信号とに基づいて、駆動部５１１の駆動制御が行われてもよい。図３に示す符号Ｐｄ，Ｐ０°，Ｐ４５°，Ｐ９０°，Ｐ１３５°，Ｐ１８０°，Ｐ２２５°，Ｐ２７０°，Ｐ３１５°は、各ポジションにおける遮光部材５００上の光軸Ｌ２の通過位置を示している。Ｐｄに光軸Ｌ２が置かれる場合、共焦点用アパーチャＡｃは観察面における集光点との共焦点上に配置される。
【００３９】
また、Ｐ０°，Ｐ４５°，Ｐ９０°，Ｐ１３５°，Ｐ１８０°，Ｐ２２５°，Ｐ２７０°，Ｐ３１５°の各位置に光軸Ｌ２が置かれる場合、レンズ５３側（つまり、被検眼側）から見て、いずれかの散乱光用アパーチャＡｓが、散乱光光路Ｋ２上において、光軸Ｌ２を中心とした０°，４５°，９０°，１３５°，１８０°，２２５°，２７０°，３１５°の各位置に配置される（図４参照）。本実施形態では、どの位置においても、散乱光光路Ｋ２上に配置される散乱光用アパーチャＡｓは、光軸Ｌ２から等距離（換言すれば、光軸Ｌ２を中心とする同一円周上）に配置されるように、制御部８００は駆動部５１１を制御する。駆動制御の結果として、散乱光光路Ｋ２上で、散乱光用アパーチャＡｓが上記のどの位置に配置されても、撮影光軸方向から見た散乱光の方向以外は同様の撮影条件で、散乱光による第１眼底画像を得ることができる。散乱光光路Ｋ２上に散乱光用アパーチャＡｓが設定された場合、受光素子５６へ導かれる散乱光の散乱箇所が強調された画像（暗視野画像）が得られる。眼底を細胞レベルで撮像するＡＯ−ＳＬＯにおいては、このような散乱光撮影は、例えば、血管（より具体的には血管壁）、および、micro capillalyの観察、解析等において有用である。
【００４０】
複数の散乱光用アパーチャＡｓのうち、Ｙ方向に関して光軸Ｌ２と同じ位置に形成されるアパーチャＡｓ１は、光軸Ｌ２に対して、０°の位置と、１８０°の位置とに、切換えて配置される。アパーチャＡｓ１は、Ｐ０°に光軸Ｌ２が配置される場合に、０°の位置に配置され、光軸Ｌ２の右側を通過する散乱光を受光素子５６へと導く。この場合、図５（ａ）に示すように、眼底上の集光点前後から、０°の方向に散乱された散乱光が、アパーチャＡｓ１を主に通過する。なお、図５では、実線で示す集光点からの矢印によって、散乱光光路Ｋ２上のアパーチャを通過する散乱光を示す。また、図５では、点線で示す矢印によって、遮光部材で遮光される散乱光を示す。アパーチャＡｓ１は、Ｐ１８０°に光軸Ｌ２が配置される場合に、１８０°の位置に配置され、光軸Ｌ２の左側を通過する散乱光を受光素子５６へと導く。この場合、図５（ｂ）に示すように、眼底上の集光点前後から、１８０°の方向に散乱された散乱光が、アパーチャＡｓ１を主に通過する。
【００４１】
複数の散乱光用アパーチャＡｓのうち、Ｙ方向に関して光軸Ｌ２から離れた位置に形成されるアパーチャＡｓ２は、光軸Ｌ２に対して、４５°の位置と、１３５°の位置とに、切換えて配置される。アパーチャＡｓ２は、Ｐ４５°に光軸Ｌ２が配置される場合に、４５°の位置に配置され、光軸Ｌ２の右上側を通過する散乱光を受光素子５６へと導く。この場合、図５（ｃ）に示すように、眼底上の集光点前後から、４５°の方向に散乱された散乱光が、アパーチャＡｓ２を主に通過する。また、アパーチャＡｓ２は、Ｐ１３５°に光軸Ｌ２が配置される場合に、１３５°の位置に配置され、光軸Ｌ２の左上側を通過する散乱光を受光素子５６へと導く。この場合、図５（ｄ）に示すように、眼底上の集光点前後から、４５°の方向に散乱された散乱光が、アパーチャＡｓ２を主に通過する。このように、遮光部材５４がＸ方向に変位されることによって、アパーチャＡｓ２が、光軸Ｌ２に対して４５°の位置と１３５°の位置とに、切換えて配置されることによって、受光素子５６へ導かれる散乱光の向きが、Ｘ方向に関して反対向きに切り替わる。
【００４２】
複数の散乱光用アパーチャＡｓのうち、アパーチャＡｓ３は、Ｙ方向に関してアパーチャＡｓ２よりも更に光軸Ｌ２から離れた位置に形成されている。アパーチャＡｓ３は、Ｐ９０°に光軸Ｌ２が配置される場合に、９０°の位置に配置され、光軸Ｌ２の上側を通過する散乱光を受光素子５６へと導く。この場合、図５（ｅ）に示すように、眼底上の集光点前後から、９０°の方向に散乱された散乱光が、アパーチャＡｓ３を主に通過する。
【００４３】
複数の散乱光用アパーチャＡｓのうち、Ｙ方向に関して光軸Ｌ２から離れた位置に形成されるアパーチャＡｓ４は、光軸Ｌ２に対して、３１５°の位置と、２２５°の位置とに、切換えて配置される。アパーチャＡｓ４は、Ｐ３１５°に光軸Ｌ２が配置される場合に、３１５°の位置に配置され、光軸Ｌ２の右下側を通過する散乱光を受光素子５６へと導く。この場合、図５（ｆ）に示すように、眼底上の集光点前後から、３１５°の方向に散乱された散乱光が、アパーチャＡｓ４を主に通過する。また、アパーチャＡｓ４は、Ｐ２２５°に光軸Ｌ２が配置される場合に、２２５°の位置に配置され、光軸Ｌ２の左下側を通過する散乱光を受光素子５６へと導く。この場合、図５（ｇ）に示すように、眼底上の集光点前後から、３１５°の方向に散乱された散乱光が、アパーチャＡｓ４を主に通過する。このように、アパーチャＡｓ４が、光軸Ｌ２に対して、３１５°の位置と、２２５°の位置とに、切換えて配置されることによって、受光素子５６へ導かれる散乱光の向きが、Ｘ方向に関して反対向きに切り替わる。
【００４４】
複数の散乱光用アパーチャＡｓのうち、アパーチャＡｓ５は、Ｙ方向に関してアパーチャＡｓ４よりも更に光軸Ｌ２から離れた位置に形成されている。アパーチャＡｓ５は、Ｐ２７０°に光軸Ｌ２が配置される場合に、２７０°の位置に配置され、光軸Ｌ２の下側を通過する散乱光を受光素子５６へと導く。この場合、図５（ｈ）に示すように、眼底上の集光点前後から、２７０°の方向に散乱された散乱光が、アパーチャＡｓ５を主に通過する。
【００４５】
このように、本実施形態では、遮光部材５００の移動方向（Ｘ方向）と直交する方向に関して、互いに異なる位置に、２つ以上の散乱光用アパーチャＡｓが形成されている。遮光部材５００が駆動部５１１によってＸ方向に変位されて、散乱光用アパーチャＡｓのうち、散乱光領域Ｋ２上に配置されるアパーチャが別のアパーチャに切換わることによって、散乱光領域Ｋ２上に配置される散乱光用アパーチャＡｓの位置が、Ｙ方向に関してシフトされる。その結果、受光素子５６へ導かれる散乱光の向きが、Ｙ方向に関して変更される。特に、Ｙ方向に関して、光軸Ｌ２を挟んで形成されるアパーチャ同士の間（つまり、Ａｓ２，Ａｓ３と、Ａｓ４，Ａｓ５と、の間）で、散乱光領域Ｋ２に配置されるアパーチャが切換ることで、受光素子５６へ導かれる散乱光の向きが、Ｙ方向に関して反対向きに切り替わる。
【００４６】
また、本実施形態では、５つの散乱光用アパーチャＡｓのうち、Ａｓ１，Ａｓ２，Ａｓ４については、散乱光領域Ｋ２上での位置がＸ方向に関して切替わることで、受光素子５６へ導かれる散乱光の向きが、Ｙ方向に関して変更される。特に、本実施形態において、アパーチャＡｓ１，Ａｓ２，Ａｓ４は、それぞれ、Ｘ方向に関して光軸Ｌ２を挟む２つの位置に切換えられる。これにより、それぞれのアパーチャＡｓ１，Ａｓ２，Ａｓ４の変位によって、受光素子５６へ導かれる散乱光の向きは、Ｙ方向に関して反対向きに切り替わる。よって前述したように、散乱光領域Ｋ２上でのアパーチャＡｓ１，Ａｓ２，Ａｓ４の配置を、Ｘ方向に関して異なる２つの位置にそれぞれ切り替えることで、受光素子５６へ導かれる散乱光の向きを、アパーチャごとに２方向ずつ、つまり、６方向の異なる向きに切り替えることができる。また、本実施形態では、更に、Ｘ方向に関して光軸Ｌ２と同じ位置に配置されるアパーチャＡｓ３，Ａｓ５を加えて、合計５つのアパーチャで、８方向の切替を実現している。このように、本実施形態では、散乱光用アパーチャＡｓ１，Ａｓ２，Ａｓ４が、それぞれ異なる２方向での散乱光撮影において兼用されるので、遮光部材５００に設けるアパーチャの数を抑制できる。その結果として、遮光ユニット５４、および、装置全体の大型化が抑制されやすい。
【００４７】
また、散乱光領域Ｋ２上で散乱光用アパーチャＡｓの位置を、Ｘ方向およびＹ方向の各方向にシフトさせるうえで、駆動部５１１は、遮光部材５００を１方向に移動させる機能を有していればよく、必ずしも２次元的に移動させる機能は必要とされない。故に、散乱光領域Ｋ２上でのアパーチャの２次元的なシフトを、簡単な構成で行うことができる。また、散乱光領域Ｋ２上でのアパーチャの２次元的なシフトを、より簡潔な駆動制御によって実現できる。
【００４８】
＜その他の光学系＞
第２撮影ユニット２００は、第１撮影ユニット１００の画角よりも広画角の眼底画像（第２眼底画像）を取得するためのユニットである。第２眼底画像は、例えば、第１眼底画像を得るための位置指定、および位置確認用の画像として用いられる。本実施形態の第２撮影ユニット２００は、被検眼Ｅの眼底画像を広画角（例えば２０度〜６０度程度）でリアルタイムに取得および観察できる構成であることが好ましい。例えば、第２撮影ユニット２００として、既存の眼底カメラの観察・撮影光学系、および走査型レーザー検眼鏡（Scanning Laser Ophthalmoscope：ＳＬＯ）の光学系および制御系が利用されてもよい。
【００４９】
前眼部観察ユニット７００は、被検眼Ｅの前眼部を可視光にて照明し、前眼部正面像を撮像するユニットである。前眼部観察ユニット７００にて撮像された画像は、モニタ８５０に出力される。前眼部観察ユニット７００によって取得される前眼部画像は、撮影部５００と被検眼Ｅとのアライメントに利用される。なお、ダイクロイックミラー９５は、第２撮影ユニット２００からの光束を透過させ、前眼部観察ユニット７００からの光束を反射させる特性を持つ。
【００５０】
次に、収差検出光学系１１０について説明する。収差検出光学系１１０は、波面センサ７３を有する。また、収差検出光学系１１０は、被検眼Ｅの眼底に測定光を投光し、測定光の眼底反射光を、指標パターン像として波面センサ７３にて受光（検出）する。収差検出光学系１１０は、一部の光学素子を第１照明光学系１００ａおよび第１撮影光学系１００ｂの光路上（本実施形態では、共通光路上）に持ち、光学系１００ａ，１００ｂと光路を一部共用している。つまり、本実施形態の収差検出光学系１１０は、光学系１００ａ，１００ｂの光路上に配置されたＢＳ７１から凹面ミラー４５までを、光学系１００ａ，１００ｂと共用する。更に、収差検出光学系１１０は、光源７６、レンズ７７、ＰＢＳ７８、ＢＳ７５、ＢＳ７１、ダイクロイックミラー８６、ＰＢＳ８５、レンズ８４、平面ミラー８３、レンズ８２、を有する。
【００５１】
光源７６は、測定光を発する。光源７６からの測定光は、レンズ７７，ＰＢＳ７８を経て、ＢＳ７５によって反射される。これにより、光源７６からの光は、第１照明光学系１００ａの光路に導かれる。そして、結果として、測定光は、第１照明光学系１００ａの光路を経て被検眼Ｅの眼底に集光される。
【００５２】
測定光は、眼底の集光位置（例えば、網膜表面）にて反射される。測定光の眼底反射光は、第１照明光学系１００ａの光路（つまり、第１撮影光学系１００ｂの光路）を、投光時とは逆に辿る。途中、測定光は、波面補償デバイス７２によって反射される。その後、測定光は、ＢＳ７１によって反射されることによって、第１照明光学系１００ａの光路を外れる。更にその後、測定光は、ダイクロイックミラー８６によって反射され、ＰＢＳ８５、レンズ８４、平面ミラー８３、レンズ８２を経て、波面センサ７３へと導かれる。
【００５３】
波面センサ７３は、被検眼Ｅの波面収差を検出するために、収差測定用の測定光の眼底反射光を受光する。波面センサ７３としては、低次収差および高次収差を含む波面収差を検出できる素子（より詳細には、ハルトマンシャック検出器、および、光強度の変化を検出する波面曲率センサ等）等が利用されてもよい。波面センサ７３によって検出される被検眼Ｅの収差情報は、波面補償デバイス７２の制御に利用される。
【００５４】
波面補償デバイス７２は、眼底撮像光学系１００の光路中（本実施形態では、眼底撮像光学系１００と収差検出光学系１１０との共通光路中）に配置される。本実施形態において、波面補償デバイス７２の反射面は、被検眼Ｅの瞳と略共役となる位置に配置される。波面補償デバイス７２は、入射光の波面を制御して被検眼Ｅの波面収差を補償する。波面補償デバイス７２は、例えば、波面の位相を変調することで、波面を補償する構成でもよい。また、例えば、波面の各部分に対して光路長差を与えることで、波面を補償する構成であってもよい。また、これら両方の方法を併用する構成でもよいし、勿論、他の構成であってもよい。より具体的には、ＬＣＯＳ（Liquid Crystal On Silicon）、ＭＥＭＳ（Micro Electro Mechanical Systems  更に、典型的には、その１形態であるデフォーマブルミラー）等が波面補償デバイス７２として使用されてもよい。
【００５５】
なお、以上の説明では、収差検出用光源として、眼底撮影用の光源１１（第１光源）とは異なる波長の光を出射する光源７１を用いた。しかし、眼底撮影用の光源１１を、収差検出用の（つまり、測定光を発する）光源と兼用してもよい。
【００５６】
なお、以上説明した本実施形態では、波面センサ（より詳細には、そのマイクロレンズアレイ）および波面補償デバイスを被検眼Ｅの瞳共役としたが、被検眼Ｅの前眼部の所定部位と略共役な位置であればよく、例えば、角膜共役であってもよい。
【００５７】
＜制御系の概略説明＞
次に、図６を参照して、本実施形態における撮影装置１の制御系を説明する。撮影装置１は、演算制御部８００（以下、制御部８００と省略する）を有している。制御部８００は、撮影装置１の装置全体の制御を行うプロセッサ（例えば、ＣＰＵ）である。本実施形態において、制御部８００には、記憶部８０１、操作部８０２、モニタ８５０、が電気的に接続される。また、制御部８００には、光源１１、走査部２５、視度補正部２０、乱視補正部３０、受光素子５６、波面補償デバイス７２、波面センサ７３、光源７６、第２撮影ユニット２００、偏向部４００、駆動機構５１０、前眼部観察ユニット７００が電気的に接続される。
【００５８】
記憶部８０１は、各種の制御プログラムおよび固定データを格納する。また、記憶部８０１には、撮影装置１によって撮影された画像、一時データ等が記憶されてもよい。
【００５９】
制御部８００は、操作部８０２から出力される操作信号に基づいて、第１撮影ユニット１００等の上記の各部材を制御する。操作部８０２は、タッチパネルやマウスなどのポインティングデバイスであってもよいし、キーボード等であってもよい。例えば、制御部８００は、モニタ８５０上に、絞り設定コントローラ８６０（図７参照）を表示させてもよい。そして、操作部８０２を介して、第１撮影光学系１００ｂの光路に配置されるアパーチャを、散乱光用アパーチャＡｓと共焦点用アパーチャＡｃとの中から、検者が選択するようにしてもよい。例えば、図７に示す絞り設定コントローラ８６０は、散乱光用アパーチャ設定ボタン８６２と、共焦点用アパーチャ設定ボタン８６１とを有している。複数のボタンのうち、いずれか１つが選択されることによって、選択されたボタンと対応するアパーチャが、第１撮影光学系１００ｂの光路に配置される。また、本実施形態では、絞り設定コントローラ８６０によって、第１撮影光学系１００ｂの光路に配置されるアパーチャの種類、および、光軸Ｌ２に対するアパーチャの配置が、グラフィカルに示されてもよい。例えば、制御部８００は、検者に選択されたボタンに、選択済みであることを示す識別情報を付して表示してもよい。
【００６０】
＜装置の動作＞
次に、上記のような構成を備える撮影装置１について、その動作を説明する。制御部８００は、光源１１の点灯、および、走査部２５および偏向部４００による眼底の２次元的な走査を実行する。そして、制御部８００は、走査の結果として受光素子５６から出力される受光信号に基づいて形成される第１眼底画像を、随時モニタ８５０に表示させる。つまり、モニタ８５０には、第１眼底画像の観察画像（ライブ画像）が表示される。初期状態では、共焦点用アパーチャＡｃが光軸Ｌ２上に配置されていてもよい。このとき、制御部８００は、波面補償制御を実行してもよい。即ち、制御部８００は、光源７６からの測定光の投光と波面センサ７３での受光とを行って、被検眼Ｅの波面検出を行い、更に、波面検出結果に基づいて収差補償ユニット２０，３０，７２を駆動させてもよい。また、撮影に際してアライメントが自動又は手動で行われる。例えば、手動アライメントでは、検者は、図示無きジョイスティック等を操作することによって、被検眼の眼底にレーザ光が照射され、所望する画像が表示されるように装置を駆動させる。本実施形態では、例えば、網膜および脈絡膜等における血管を有する層の画像が得られるように、アライメントが調整されてもよい。アライメント完了後、第１眼底画像の撮影（キャプチャー）が行われる。
【００６１】
＜連続シフト撮影＞
連続シフト撮影は、光路上におけるアパーチャの位置を、少なくとも２つ以上の異なる位置へと自動的に切換え、アパーチャの位置毎に第１眼底画像の撮影を実行する撮影シーケンスである。例えば、共焦点光路Ｋ１に共焦点用アパーチャＡｃを配置して行われる共焦点撮影と、散乱光光路Ｋ２における上述の８つの位置に散乱光用アパーチャＡｓを切換え配置して行われる散乱光撮影と、が連続的に実行されるものであってもよい。この場合、制御部８００は、光軸Ｌ２がＰｄ，Ｐ０°，Ｐ４５°，Ｐ９０°，Ｐ１３５°，Ｐ１８０°，Ｐ２２５°，Ｐ２７０°，Ｐ３１５°の各位置に光軸Ｌ２が順次配置されるように、遮光部材５００のポジションを順次切換え、それぞれのポジションにおいて、第１眼底画像の撮影を実行してもよい。撮影の結果得られた第１眼底画像は、記憶部８０１に記憶される。この場合、一連の連続シフト撮影で得られた画像は、例えば、同一のフォルダに保存したり、共通の情報を画像データに付すことで、互いに対応づけるようにしてもよい。また、撮影結果は、光軸Ｌ２に対するアパーチャの位置ごとに、モニタ８５０上で並べて表示されてもよい。
【００６２】
＜血管壁強調撮影＞
血管壁強調撮影は、第１眼底画像に基づいて取得される血管走行の方向に対して交差する方向へ散乱光用アパーチャＡｓをシフトさせる制御を行い、新たに第１眼底画像の撮影を実行する撮影シーケンスである。
【００６３】
血管走行の方向は、例えば、制御部８００が第１眼底画像に対して血管の検出処理を行い、その検出結果として取得されるものであってもよい。また、モニタ８５０に表示される第１眼底画像を観察した検者が操作部８０２を介して血管走行の方向を、装置に対して入力し、これによる入力信号として、血管走行の方向を制御部８００が取得してもよい。例えば、モニタ８５０の第１眼底画像上で、血管壁を強調したい血管を、ポインティングデバイスでなぞったり、血管上の２点を選択することで、血管走行の方向が入力されるようにしてもよい。  
【００６４】
本実施形態では、制御部８００によって取得された血管走行の方向に対し、垂直方向に近い方向に散乱された散乱光が受光素子５６へ導かれるように、散乱光用アパーチャＡｓの位置決め制御が行われる。例えば、血管走行の方向が、斜め３０°である場合、斜め３０°に対して垂直に近い、光軸Ｌ２に対し１３５°の位置と、３１５°の位置とのいずれか一方に散乱光用アパーチャを配置する。また、制御部８００は、散乱光用アパーチャＡｓの位置決め制御後に、受光素子５６からの受光信号に基づく第１眼底画像の撮影（キャプチャー）を、自動的に行ってもよい。これにより、走行方向が取得された血管において、一方の側面における血管壁が強調された（例えば、血管壁の外壁と内壁とが明瞭化された）第１眼底画像が、記憶部に記憶される。更に、制御部８００は、駆動部５１１を制御して散乱光用アパーチャＡｓの位置を、撮影光軸Ｌ２に対して対称な位置に移動させてもよい（例えば、１３５°から３１５°の位置に移動させる）。そして、移動後の位置において、制御部８００が更に第１眼底画像をキャプチャーしてもよい。その結果、血管走行の方向が取得された血管において、他方の側面における血管壁が強調された第１眼底画像が記憶部に記憶される。このようにして、血管走行の方向が取得された血管において、血管壁が片側ずつ強調された２種類の第１眼底画像を、一連の撮影シーケンスで取得することができる。これにより、血管壁の観察および解析に適した画像を、効率良く撮影することができる。
【００６５】
また、制御部８００は、更に、血管壁が片側ずつ強調された２種類の第１眼底画像を、合成することによって、血管壁の両側が強調された画像（本実施形態における強調画像）を生成してもよい。例えば、図８（ａ）に、０°の位置に乱光用アパーチャＡｓが配置されることによって、右側の血管壁Ｗｒが強調された第１眼底画像を示す。また、図８（ｂ）に、１８０°の位置に乱光用アパーチャＡｓが配置されることによって、左側の血管壁Ｗｌが強調された第１眼底画像を示す。そして、それら２つの第１眼底画像の合成の結果として、図８（ｃ）に示すように、左右両方の血管壁Ｗｒ，Ｗｌが強調された合成画像が得られる。なお、合成の際、２種類の第１眼底画像は、互いに位置合わが行われたうえで、合成されてもよい。合成された画像によって、血管壁の観察および解析を、一層良好に行うことができる。
【００６６】
＜手動シフト撮影＞
前述したように、検者は、絞り設定コントローラ８６０を用いて第１撮影光学系１００ｂの光路（つまり、Ｋ１+Ｋ２）に配置されるアパーチャの位置および種別を手動で選択できる。検者は、モニタ８５０に表示される第１眼底画像を確認しながら、操作部８０２を操作することによって、光路上に配置するアパーチャを選択する。これによって、検者の選択に応じたアパーチャが光路上に配置される。そして、撮影スイッチ等を操作することによって、制御部８００に第１眼底画像の撮影を実行させる。
【００６７】
＜変形例＞
以上、実施形態に基づき説明したが、本開示は、上記実施形態に限定されることなく、様々な変形が可能である。
【００６８】
例えば、上記実施形態では、各アパーチャが一つの部材（つまり、遮光部材５００）に形成され、これにより、各アパーチャの位置を、制御部８００が一体的に制御する。しかし、必ずしもこれに限られるものではない。例えば、各アパーチャは、それぞれ別部材として独立に形成されていてもよい。このような各アパーチャを、同一の変位量および方向で移動させる制御によって、各アパーチャの位置が一体的に制御されてもよい。
【００６９】
また、例えば、上記実施形態では、遮光部材５００の移動方向と直交する方向に関して異なる位置に形成された５つの散乱光用アパーチャＡｓを用いて、受光素子５６へ導かれる散乱光の散乱方向を、８方向の中から切り替える場合について説明した。しかし、必ずしもこれに限られるものではない。遮光部材５００には、５つ未満、或いは、５つより多くの散乱光用アパーチャが形成された構成であってもよい。例えば、上記実施形態におけるアパーチャＡ１，Ａｓ２，Ａｓ４のうち、少なくとも２つだけが形成されており、制御部８００が、それら２つのアパーチャを、散乱光光路Ｋ２上の２つの位置でそれぞれ変位させることにより、受光素子５６へ導かれる散乱光の散乱方向を、互いに異なる４方向に切り替えるようにしてもよい。
【００７０】
また、上記実施形態では、アパーチャＡ１，Ａｓ２，Ａｓ４を、散乱光光路Ｋ２上の２つの位置の間でそれぞれ変位させる場合について説明したが、３つ以上の位置の間でそれぞれ変位させてもよい。光軸Ｌ２に対するアパーチャの位置関係に応じて、受光素子５６へ導かれる散乱光の方向が変わるので、更に、異なる方向の散乱光を、選択的に受光素子５６へ導くことができる。
【００７１】
また、上記実施形態では、共焦点用アパーチャＡｃが１つだけ設けられていた。その結果、共焦点用アパーチャＡｃの直径を変更することはできなかった。しかし、必ずしもこれに限られるものではなく、撮影装置１は、共焦点用アパーチャＡｃの直径を変更できる構成であってもよい。この場合、遮光部材５４等に、互いに径の異なる複数の共焦点用アパーチャＡｃを設けてもよい。そして、遮光部材５４を移動させることによって、共焦点領域Ｋ１に配置する共焦点用アパーチャＡｃの径を切換えてもよい。その結果、見え方の異なる明視野像が得られる。
【００７２】
また、上記実施形態では、撮影装置１の光学系に設けられた波面センサ７３を用いて被検眼Ｅの波面収差を測定する場合について説明した。しかし、撮影装置１は、被検眼Ｅの波面収差を眼底からの反射光に基づいて測定する構成を備えていればよく、必ずしも波面センサ７３が設けられていなくてもよい。例えば、ＰｈａｓｅＤｉｖｅｒｓｉｔｙ法を用いて、波面収差を測定する場合が考えられる。この方法は、対象の光学系（ここでは、被検眼Ｅ）に、ＰｈａｓｅＤｉｖｅｒｓｉｔｙと呼ばれる既知の波面収差を持つ測定光をわざと与え、その際に得られる画像に対し、所定の画像処理を行うことによって、対象の光学系における波面収差を推定するものである。この場合、例えば、眼底撮像光学系１００に設けられた受光素子５６を、波面収差検出用の検出器として利用できる。つまり、この場合、眼底撮像光学系１００は、収差検出光学系１１０と共用できる。勿論、検出器は、受光素子５６とは別体に設けられていてもよい。なお、ＰｈａｓｅＤｉｖｅｒｓｉｔｙを持つ測定光は、例えば、波面補償デバイス７３を所定の状態に制御することによって、生成できる。勿論、他の手法で生成されてもよい。
【００７３】
また、上記実施形態では、波面補償付の装置において、散乱光撮影を行うための構成を例示したが、本開示は、必ずしも波面補償付の装置に限定されるものではない。例えば、上記の遮光ユニット５４の構成、および、遮光ユニット５４に対する制御部８００の制御は、波面補償を持たない眼底撮影装置に対して適用されてもよい。
【符号の説明】
【００７４】
１        撮影装置
５６      受光素子
１００ａ  第１照明光学系
１００ｂ  第１撮影光学系
Ａｓ      散乱光用アパーチャ
Ｋ        眼底共役面
Ｌ１      撮影光軸
【図１】
2017012580.tif 000003
【図２】
2017012580.tif 000004
【図３】
2017012580.tif 000005
【図４】
2017012580.tif 000006
【図５】
2017012580.tif 000007
【図６】
2017012580.tif 000008
【図７】
2017012580.tif 000009
【図８】
2017012580.tif 000010